(57)【要約】【課題】炭床上の炭火に対する着火を容易にし且つ着火後の炭火を効率よく炭床上面に分散配置するための炭火用コンロを提供することを課題とする。【解決手段】コンロの本体ケース１内に炭火を載せる炭床１２ｃと、該炭床１２ｃの一部を構成した上記炭床１２ｃ上の炭２３に下部より給気するロストル１４と、内部に炭又は炭火を収容し、上記ロストル１４上にセットされて給気された空気を吸引して上方に排出することにより炭２３の着火を促す筒状の着火筒１９とを備え、上記ロストル１４の下方にロストル１４に空気を案内し着火筒１９内の炭２３に着火する着火材２４を収容する着火スペース２０を設け、上記着火筒１９の底部を開放又は開放可能に形成し上方に引上げ除去することにより着火筒１９内の炭火が炭床１２ｃ上に拡散される。【選択図】図１
2015223330.tif 000002
【特許請求の範囲】
【請求項１】
コンロの本体ケース（１）内に炭火を載せる炭床（１２ｃ）と、該炭床（１２ｃ）の一部を構成した上記炭床（１２ｃ）上の炭（２３）に下部より給気するロストル（１４）と、内部に炭又は炭火を収容し、上記ロストル（１４）上にセットされて給気された空気を吸引して上方に排出することにより炭（２３）の着火を促す筒状の着火筒（１９）とを備えた炭火用コンロにおいて、上記ロストル（１４）の下方にロストル（１４）に空気を案内し着火筒（１９）内の炭（２３）に着火する着火材（２４）を収容する着火スペース（２０）を設け、上記着火筒（１９）の底部を開放又は開放可能に形成し上方に引上げ除去することにより着火筒（１９）内の炭火が炭床（１２ｃ）上に拡散配置される構造とした炭火用コンロ。
【請求項２】
着火筒（１９）の周壁の下部には、該着火筒（１９）内に空気を取入れる用の通気孔（１９ａ）を穿設した請求項１に記載の炭火用コンロ。
【請求項３】
挿入端側で着火材（２４）を保持し、着火スペース（２０）内の着火筒（１９）のセット位置下方に着火材（２４）を挿入する着火材挿入具（１０）を本体ケース（１）に対して挿脱可能に設けた請求項１又は２の何れかに記載の炭火用コンロ。
【請求項４】
着火材挿入具（１０）が、ロストル（１４）の灰床を兼ね且つ挿入端側に着火材（２４）を保持し、本体ケース（１）に対して水平方向にスライドさせて挿脱可能な引出し状に形成されている請求項３に記載の炭火用コンロ。
【請求項５】
本体ケース（１）内に周壁（１２ａ），（１２ｂ）を備えた容器状の内ケース（１２）を挿脱可能に収容して設け、該内ケース（１２）の底板に炭床（１２ｃ）及びロストル（１４）を設けるとともに、本体ケース（１）と内ケース（１２）の底部間に着火スペース（２０）を設けてなる請求項１〜４のいずれかに記載の炭火用コンロ。
【請求項６】
着火筒（１９）のセット位置とロストル（１４）の設置位置を炭床（１２ｃ）の中央部で互に重なり合うように設けてなる請求項１〜５のいずれかに記載の炭火用コンロ。
【請求項７】
着火筒（１９）の周壁に着火筒持ち運び用の把手（２１）を設けてなる請求項１〜６のいずれかに記載の炭火用コンロ。
【請求項８】
内ケース（１２）の上部に調理網（１８）を所定高さに保持する複数個の保持具（１７）を本体ケース（１）に取付けてなる請求項５〜７のいずれかに記載の炭火用コンロ。
【発明の詳細な説明】
【技術分野】
【０００１】
この発明は主として木炭や豆炭等のように着火（火熾し）を伴うアウトドアでのバーベキューその他の加熱調理用に適する炭火用コンロに関する。
【背景技術】
【０００２】
従来アウトドアでのバーベキューその他の加熱調理に適する炭火用コンロとして特許文献１に示されるように、コンロの本体ケース内のロストル付の炭床上に炭火を載せて、その上方の調理網上で肉や野菜その他の材料を加熱調理するものが広く知られている。
【０００３】
また特許文献２に示されるように、煙突効果が期待でき、内部に豆炭や木炭を収容して着火や燃焼効果を良くする筒状体を炭床のロストル上に配置したものが知られている。
【先行技術文献】
【特許文献】
【０００４】
【特許文献１】特開２００５−３１２８４５号公報
【特許文献２】特開２００１−３０４５５３号公報
【発明の概要】
【発明が解決しようとする課題】
【０００５】
上記特許文献１のコンロは、単にコンロ本体の底部に給気室を形成するようにロストルを取付けた炭火コンロで、着火や燃焼効率を向上させるための特別な工夫は見られない。
特許文献２のコンロは、炭床上に煙突状の筒をセットし、その内部に炭や炭火を収容して着火や燃焼効率を良くするものであるが、肉等のように加熱によって焼汁が滴下する加熱調理は直火を避けて、筒状体の回りに配置した焼網上で調理することを目的としたものである。
このため主に直火で加熱するための炭火の炭床上での分散配置と炭への着火効率を高めることを考慮したものではない。
本発明は、炭床上の炭火に対する着火を容易にし且つ着火後の炭火を効率よく炭床上面に分散配置するための炭火用コンロを提供するものである。
【課題を解決するための手段】
【０００６】
上記課題を解決するための本発明の炭火コンロは、第１にコンロの本体ケース１内に炭火を載せる炭床１２ｃと、該炭床１２ｃの一部を構成した上記炭床１２ｃ上の炭２３に下部より給気するロストル１４と、内部に炭又は炭火を収容し、上記ロストル１４上にセットされて給気された空気を吸引して上方に排出することにより炭２３の着火を促す筒状の着火筒１９とを備えた炭火用コンロにおいて、上記ロストル１４の下方にロストル１４に空気を案内し着火筒１９内の炭２３に着火する着火材２４を収容する着火スペース２０を設け、上記着火筒１９の底部を開放又は開放可能に形成し上方に引上げ除去することにより着火筒１９内の炭火が炭床１２ｃ上に拡散配置される構造としたことを特徴としている。
【０００７】
第２に、着火筒１９の周壁の下部には、該着火筒１９内に空気を取入れる用の通気孔１９ａを穿設したことを特徴としている。
【０００８】
第３に、挿入端側で着火材２４を保持し、着火スペース２０内の着火筒１９のセット位置下方に着火材２４を挿入する着火材挿入具１０を本体ケース１に対して挿脱可能に設けたことを特徴としている。
【０００９】
第４に、着火材挿入具１０が、ロストル１４の灰床を兼ね且つ挿入端側に着火材２４を保持し、本体ケース１に対して水平方向にスライドさせて挿脱可能な引出し状に形成されていることを特徴としている。
【００１０】
第５に、本体ケース１内に周壁１２ａ，１２ｂを備えた容器状の内ケース１２を挿脱可能に収容して設け、該内ケース１２の底板に炭床１２ｃ及びロストル１４を設けるとともに、本体ケース１と内ケース１２の底部間に着火スペース２０を設けてなることを特徴としている。
【００１１】
第６に、着火筒１９のセット位置とロストル１４の設置位置を炭床１２ｃの中央部で互に重なり合うように設けてなることを特徴としている。
【００１２】
第７に、着火筒１９の周壁に着火筒持ち運び用の把手２１を設けてなることを特徴としている。
【００１３】
第８に、内ケース１２の上部に調理網１８を所定高さに保持する複数個の保持具１７を本体ケース１に取付けてなることを特徴としている。
【発明の効果】
【００１４】
以上のように構成される本発明の炭火用コンロは、下記のような効果を奏する。
（１）着火筒はその内部に着火前の炭を収容してその下方の着火スペースの着火材を燃焼させることにより着火し、着火後は着火筒の煙突効果により着火スペースから空気をその内部に吸引して内部を通過するので、炭全体への火回りが速く効率的な全体への着火が促進される。
【００１５】
（２）全体への程良い着火が完了した後に着火筒を上向きに引抜くように除去することにより、収容されている炭火は、安全な状態で、開放された下端からスムーズに排出され、着火筒の周辺の炭床上に自然に拡散し、必要に応じて炭火を広げることで炭床全体から均一な火力を得ることができる。さらに着火筒は火熾し完了後は除去されるので、その後のコンロの使用の妨げになることはなく、次の火熾し時には簡単にリセットできる利点がある。
【００１６】
（３）着火材挿入具により着火筒下方の着火スペースに着火材が外部から正確に挿入配置されるので、着火材の燃焼による着火筒内の炭への着火も確実に且つ効率よく行われる。
また着火材挿入具を本体ケースに対して横方向にスライドさせて挿脱できるので、着火材の挿入が簡単であるだけでなく、引出した状態で着火して押し込むことにより着火作業自体も安全な環境下で簡単且つ確実に行われる。
【００１７】
（４）本体ケース内に容器状の内ケースを収容するため、周壁及び底部が二重構造となり、周囲に対する断熱効果が高くなるほか、内ケースを挿脱可能にしたことにより、内部の清掃その他のメンテナンスも行い易い。
【００１８】
（５）着火筒のセット位置もロストルの設置位置を重ね合わせて本体ケースの中央位置に設けたことにより、着火筒の抜き取り除去時の炭火の拡散が外周側に均一に行われ、炭火を均一に拡散させるための作業が省略又は省力化できるほか、着火材の燃焼位置と内部の炭の位置が一致することにより、着火が確実に行われる。
その他、着火筒に把手を設けたことにより、着火筒のセットや取り外しが行い易く且つ安全に行われる。
【図面の簡単な説明】
【００１９】
【図１】本発明のコンロの実施例の全体断面図である。
【図２】同じくコンロの組立状態を示す全体斜視図である。
【図３】（Ａ）は位置決め部の他例の構成を示す断面図であり、（Ｂ）は位置決め部を構成するアングル状部材の平面図である。
【発明を実施するための形態】
【００２０】
図１〜図２は本発明の実施例を示し、ステンレス鋼板等の金属板からなる上部開放型で箱状の本体ケース１の底面コーナーに、複数本（４本）のパイプ製の脚２が下向き且つ着脱可能に突設されている。脚２は、その下端に弾性材よりなる滑り止め用のキャップ３を嵌合しており、上端は本体ケース１の底部コーナーより突出する取付具４に対してスプリング製の取付ピン６により着脱可能に取付けられる。
【００２１】
本体ケース１の左右壁１ａ，１ａには持ち運び用の把手７が折畳み回動可能に取付けられ、前後壁１ｂには後述する空気室８内に外部から空気を導入するための通気孔９が形成され、さらに前壁１ｂには後述する引出し状の着火材挿入具１０が差込窓１１を介してスライド挿脱可能に設けられている。
【００２２】
本体ケース１内には平面視略相似形で、トレイ型の容器として形成された金属製の内ケース１２が上方より挿脱可能に収容され、炭床１２ｃとなるその底板と本体ケース１の底板１ｃとの間及び本体ケース１と内ケース１２の周壁１２ａ，１２ｂとの間には、炭への着火時や炭の燃焼時に前記通気孔９より外部の空気を導入するスペースとなる空気室８が形成され、断熱空間をも兼ねている。内ケース１２の左右壁１２ａの上端中央には持ち運び用の把手１５がそれぞれ取り付けられている。
【００２３】
上記本体ケース１の周壁１ａ，１ｂの上縁には下向きに開放されたチャンネル状断面の長方形の縁枠１３が被さるように嵌合され、その内周下端部より内向きに突出したフランジ部１３ａ上に、内ケース１２の周壁上端より外向きに突出したフランジ部１２ｄが載置されて、内ケース１２が高さ方向及び水平方向に位置決めされて収容されている。この位置決めにより上記空気室８のスペースの形状及び寸法が決められる。
【００２４】
内ケース１２の底板（炭床）１２ｃの略中心位置には円形のロストル１４が着脱（又は置き換え）可能に取り付けられ、ロストル１４により内ケース１２内と空気室８内は通風可能に連通している。ちなみに、ロストル１４の取付構造を具体的に説明すると、ロストル１４の外周縁には、円形リング形状をなすフランジ状の取付部１４ａが一体成形され、この取付部１４を、底板１２ｃにボルトやビス等で取付固定することにより、該ロストル１４が設置される。
【００２５】
また前記本体ケース１の上端で縁枠１３の前後両端には、平面視アングル状に形成された爪状の保持具１７がビス止めされて取付けられ、このビス止めにより縁枠１３は本体ケース１の周壁１ａ，１ｂに取付け固定されている。保持具１７はその一辺が縁枠１３とクロスした状態で取付けられ、このクロスした部分の内端部側に調理網１８の周縁が位置決めされるように載置される。
【００２６】
そして保持具１７の他方の辺は縁枠１３の外周面に沿って上下回動調節可能に締着され、この回動姿勢に応じて縁枠１３上での高さが変化し且つ調理網１８の設置高さが調節できる構造である。
【００２７】
上記ロストル１４上にはロストル１４と略同一径で上下端が開放された円筒状の着火筒１９が置き換え可能に載置されている。着火筒１９の周壁の下部には、通気孔１９ａが周方向に所定間隔毎に満遍なく環状に並べられた状態で、複数穿設され、さらに、この着火筒１９の外周には平面視Ｕ字形の把手２１がブラケット２２を介して下向き折畳み回動可能に取付けられている。
【００２８】
該着火筒１９はロストル１４上に上下方向に置かれた状態で内部に炭２３を収容するもので、ロストル１４下に収容される着火材２４の着火燃焼により、炭自体に着火し且つ煙突効果により、空気室８からの空気を下方側から吸引すると共に、内ケース１２内からの空気を通気孔１９ａから吸気し、効率よく着火（火熾し）させるように機能するものである。
【００２９】
他方、本体ケース１の前壁１ｂに設けた差込窓１１より内向きに差込まれる引出し状の着火材挿入具１０は、差込状態でロストル１４上で上方から落下する灰や小粒の炭火を受け取る灰床を兼ねさせても良い。
【００３０】
そしてその挿入端側は、ロストル１４下において例えばアルコール含有の固形燃料等からなる着火材２４を載置して燃焼させる着火スペース２０となっており、この着火スペース２０は空気室８内にあり、着火や燃焼のための空気の導入部でもある。本実施例では着火材挿入具１０を最深部まで差込挿入することによって、着火材２４がロストル１４の中心位置下方に来るように、着火材の載置位置を決める位置決め用の突条又は目印等からなる位置決め部１０ａが着火材挿入具１０の底板上面に設けられている。
【００３１】
また着火材挿入具１０は本体ケース１の底板１ｃ上に設けられた前後方向のレール２６に案内されてスライド自在に挿入又は引き出しされ、着火材挿入具１０上に載置された着火材２４への着火は、着火材挿入具１０が引き出された状態で行われ、着火状態でロストル１４の直下の着火スペース２０の位置に挿入される。
【００３２】
上記のように構成される本発明の炭火用コンロは、コンロ組立状態で、先ずロストル１４上に着火筒１９を位置決め状態で載置して内部に炭２３を収容する。この時の炭の量は調理目的にもよるが、内ケース１２の炭床１２ｃ上に均一且つ十分に拡散配置できる量である。これと前後して着火材挿入具１０を引き出した状態で、その上面に前述した着火材２４を載せておく。
【００３３】
上記着火筒１９への炭２３の充填後、上記着火材２４に点火して着火材挿入具１０を最深部まで挿入し、炭２３への着火を開始する。炭２３に適度に着火され、燃焼を始めた時点で、把手２１を用いて着火筒１９を上方に向って持ち上げると、内部の炭はその下端から炭床上に排出され、且つロストル１４の回りに適度に崩れ落ちて分散配置される。その後調理網１８を予め高さ設定された網保持具１７上に位置決め載置して目的の加熱調理を行う。
【００３４】
その他本体ケース１や内ケース１２の平面視形状等は長方形のほか、正方形，円形，その他の多角形であっても差支えない。
【００３５】
次に、図３に基づき、位置決め部１０ａの他例について、上述した例と異なる部分を説明する。
【００３６】
図３（Ａ）は位置決め部の他例の構成を示す断面図であり、（Ｂ）は位置決め部を構成するアングル状部材の平面図である。同図に示す例では、位置決め部１０ａを鉄製等のアングル状部材２７によって構成している。このアングル状部材２７の一片が起立するように、もう一片を着火材挿入具１０の底板上面に溶着等で取付固定し、該起立した一片によって仕切り２７ａを形成している。
【００３７】
この仕切り２７ａと、着火材挿入具１０の内周壁との間に、着火材２４が嵌め込まれ、安定的に位置決めが行われる。ちなみに、アングル状部材２７における着火材挿入具１０の底板上面に取付固定される部分（上記もう一片）が、仕切り２７ａから、着火材２４を位置決めさせない側に延びるようにして、該アングル状部材２７が着火材挿入具１０に取付固定されている。これによって、アングル状部材２７が、着火材２４を位置決めさせる際に邪魔になるような事態も効率的に防止される。
【符号の説明】
【００３８】
１      本体ケース
１ａ    左右壁（周壁）
１ｂ    前後壁（周壁）
８      空気室
１０    着火材週用具
１０ａ  位置決め部
１１    差込窓
１２    内ケース
１２ａ  左右壁（周壁）
１２ｂ  前後壁（周壁）
１２ｃ  底板（炭床）
１４    ロストル
１７    網保持具
１８    調理網
１９    着火筒
２０    着火スペース
２３    炭
２４    着火材
【図１】
2015223330.tif 000003
【図２】
2015223330.tif 000004
【図３】
2015223330.tif 000005